(57)【要約】  【課題】  どんな動作状態にあっても使用できるヘルプキーを設け、このヘルプキーを押下することによって、現在の動作状態で使用できる有効なキーを簡単に知ることができるようにした光ディスク再生装置を提供する。  【解決手段】  例えば、光ディスクの再生中にヘルプキーが押下されると、現在の動作状態が判別され、当該動作状態に対応する値１が変数に設定される。前記設定された変数の値１に対応した有効なキーの項目および一括表示の項目を列挙したヘルプ画面がディスプレイ装置に表示される。そして、有効なキーの項目が選択されたときに、選択された項目の説明画面がディスプレイ装置に表示される。また、一括表示の項目が選択されたときは、該当する項目の説明画面が複数ページに渡ってディスプレイ装置に一括表示される。【選択図】      図４
2007058912.tif 000002
【特許請求の範囲】
【請求項１】
光ディスクに記録された情報を再生する光ディスク再生装置において、
ヘルプキーを設け、このヘルプキーが押下されたときの装置の現在の動作状態を示す変
数の値と、当該変数の値に対応するヘルプ画面のデータと、当該ヘルプ画面中の有効キー
の項目に対応する説明画面のデータとを、テーブルとして予めメモリに記憶しておき、
前記ヘルプキーが押下されたときに、前記ヘルプキーが押下されたときの装置の現在の
動作状態を判別し、当該動作状態に対応する値を変数に設定する変数値設定手段と、
前記設定された変数の値に対応した有効なキーの項目および一括表示の項目を列挙した
ヘルプ画面のデータを前記メモリから読み出してディスプレイ装置にヘルプ画面を表示さ
せるヘルプ画面表示手段と、
前記有効なキーの項目が選択されたときに、選択された項目の説明画面のデータを前記
メモリから読み出してディスプレイ装置に説明画面を表示させる説明画面表示手段と、
前記一括表示の項目が選択されたときに、該当する項目の説明画面のデータの全部を前
記メモリから読み出して複数ページに渡ってディスプレイ装置に説明画面を一括表示させ
る一括表示手段と、
前記説明画面または前記一括表示説明画面が表示された後、前記ヘルプキーが押下され
たときに、前記ヘルプ画面の表示に戻すヘルプ画面戻し手段と、
前記ヘルプ画面表示手段または前記ヘルプ画面戻し手段により前記ヘルプ画面が表示さ
れているときに、前記ヘルプキーが押下されると、前記変数の値を参照し前記ヘルプキー
の押下前の動作状態に戻す動作状態戻し手段とを、有するシステムコントローラを備えた
ことを特徴とする光ディスク再生装置。
【請求項２】
請求項２の発明は、光ディスクに記録された情報を再生する光ディスク再生装置におい
て、ヘルプキーを設け、前記ヘルプキーが押下されたときに、装置の現在の動作状態を判
別し、有効なキーの項目および一括表示の項目を列挙したヘルプ画面をディスプレイ装置
に表示させ、前記有効なキーの項目が選択されたときに、選択された項目の説明画面を、
前記一括表示の項目が選択されたときには、全ての有効なキーの項目の一括表示説明画面
を、それぞれディスプレイ装置に表示させるシステムコントローラを備えたことを特徴と
する光ディスク再生装置。
【請求項３】
前記システムコントローラは、ヘルプキーが押下されたときに、前記ヘルプキーが押下
されたときの装置の現在の動作状態を判別し、当該動作状態に対応する値を変数に設定す
る変数値設定手段と、前記設定された変数の値に対応した有効なキーの項目および一括表
示の項目を列挙したヘルプ画面のデータを前記メモリから読み出してディスプレイ装置に
ヘルプ画面を表示させるヘルプ画面表示手段と、前記有効なキーの項目が選択されたとき
に、選択された項目の説明画面のデータを前記メモリから読み出してディスプレイ装置に
説明画面を表示させる説明画面表示手段と、前記一括表示の項目が選択されたときに、該
当する項目の説明画面のデータの全部を前記メモリから読み出して複数ページに渡ってデ
ィスプレイ装置に説明画面を一括表示させる一括表示手段とを有することを特徴とする請
求項２に記載の光ディスク再生装置。
【請求項４】
前記システムコントローラは、説明画面または一括表示説明画面が表示された後、ヘル
プキーが押下されたときに、ヘルプ画面の表示に戻すヘルプ画面戻し手段と、ヘルプ画面
表示手段またはヘルプ画面戻し手段によりヘルプ画面が表示されているときに、前記ヘル
プキーが押下されると、変数の値を参照し前記ヘルプキーの押下前の動作状態に戻す動作
状態戻し手段とを有することを特徴とする請求項３に記載の光ディスク再生装置。
【請求項５】
ヘルプキーが押下されたときの装置の現在の動作状態を示す変数の値と、当該変数の値
に対応するヘルプ画面のデータと、当該ヘルプ画面中の有効キーの項目に対応する説明画
面のデータとを、テーブルとして予めメモリに記憶しておくことを特徴とする請求項３に
記載の光ディスク再生装置。
【発明の詳細な説明】
【技術分野】
【０００１】
本発明は、光ディスクに記録された情報を再生する光ディスク再生装置に関し、特に、
キー操作の説明も表示することが可能にした光ディスク再生装置に関する。
【背景技術】
【０００２】
従来からＤＶＤプレイヤなどの光ディスク再生装置では、一般にリモコンの各種キーを
操作することにより、電源のオン／オフ、再生動作、停止動作、一時停止動作、早送り動
作、早戻し動作、サーチ動作などの各種動作が行われるようになっている。しかし、リモ
コンのキーを操作する場合、操作がすべて有効となるわけではなく、キー操作が無効とな
ってエラーになる場合がある。
【０００３】
そこで、ユーザは、装置の現在の動作状態において、どのキーが有効となっているかを
知らなかった場合、取扱説明書を読んで、どのキーが有効であるかを調べたりしている。
例えば、ＤＶＤをＤＶＤプレイヤで再生中に、どのキーが有効になっているかを調べ、有
効になっているキーが、例えば、電源キー、再生キー、停止キー、一時停止キー、早送り
キー、早戻しキー、サーチキーなどであることが分かる。したがって、装置の現在の動作
状態で使用できる有効なキーを操作すれば、キー操作がエラーになるようなことはない。
【特許文献１】特開２００５−９２９９７号公報
【特許文献２】特開２００３−１２５１３２号公報
【特許文献３】特開２００４−２９１３１７号公報
【発明の開示】
【発明が解決しようとする課題】
【０００４】
しかしながら、従来の光ディスク再生装置では、現在の動作状態において、どのキーが
有効になっているかをユーザが知っていれば、問題はないが、知らなかった場合、いちい
ち取扱説明書を読まなくてはならないので、ユーザにとっては面倒で不便であるという課
題が生じる。なお、例え画面上にキー操作の説明が記載されても、細部でのキー操作の説
明までは行っていないのが現状である。
【０００５】
なお、特許文献１の従来技術は、キー操作にエラーがあった際に、ユーザが必要とする
場合にのみ、リモコンに設けられたヘルプキーを操作してエラーの詳細情報を表示できる
ようにしているが、この従来技術も、現在の動作状態で使用できる有効なキーを知りたい
場合は、いちいち取扱説明書を読まなくてはならないので、ユーザにとっては面倒で不便
であるという課題が生じる。
【０００６】
特許文献２の従来技術は、へルプキーを含むキーパッドと、キーパッド上の各キーの機
能の説明を含む画像データを獲得する画像データ獲得部と、前記画像データを可視化する
可視化部とを備え、前記ヘルプキーが操作された後に、操作されたキーについて画像デー
タを前記画像データ獲得部より読み出し、前記可視化部で可視化するので、操作パネル上
にあるキーの機能の説明が表示またはプリントされるようになっているが、この従来技術
も、現在の動作状態で使用できる有効なキーを知りたい場合は、いちいち取扱説明書を読
まなくてはならないので、ユーザにとっては面倒で不便であるという課題が生じる。また
、この従来技術は、ファクシミリ装置に関するものであり、光ディスク再生装置に関する
ものではない。
【０００７】
特許文献３の従来技術は、選択肢表示させた複数の選択肢のうちの任意の１以上の選択
肢を仮定肢として指定し、その仮定肢を確定された選択肢として確定して、その確定肢に
基づいて印刷を行うが、確定前の取扱説明の要求により、選択肢表示から取扱説明の表示
に切り換えるため、ユーザは操作中にその場で簡易且つ迅速に、取扱説明を見ることがで
きるようにしているが、この従来技術も、現在の動作状態で使用できる有効なキーを知り
たい場合は、いちいち取扱説明書を読まなくてはならないので、ユーザにとっては面倒で
不便であるという課題が生じる。また、この従来技術は、印刷装置に関するものであり、
光ディスク再生装置に関するものではない。
【０００８】
本発明は、上記のような課題を解決するためになされたもので、装置がどんな動作状態
にあっても使用できるヘルプキーを設け、このヘルプキーを押下することによって、現在
の動作状態で使用できる有効なキーを簡単に知ることができるようにした光ディスク再生
装置を提供することを目的とする。
【課題を解決するための手段】
【０００９】
上記目的を達成するために、請求項１の発明は、光ディスクに記録された情報を再生す
る光ディスク再生装置において、ヘルプキーを設け、このヘルプキーが押下されたときの
装置の現在の動作状態を示す変数の値と、当該変数の値に対応するヘルプ画面のデータと
、当該ヘルプ画面中の有効キーの項目に対応する説明画面のデータとを、テーブルとして
予めメモリに記憶しておき、前記ヘルプキーが押下されたときに、前記ヘルプキーが押下
されたときの装置の現在の動作状態を判別し、当該動作状態に対応する値を変数に設定す
る変数値設定手段と、前記設定された変数の値に対応した有効なキーの項目および一括表
示の項目を列挙したヘルプ画面のデータを前記メモリから読み出してディスプレイ装置に
ヘルプ画面を表示させるヘルプ画面表示手段と、前記有効なキーの項目が選択されたとき
に、選択された項目の説明画面のデータを前記メモリから読み出してディスプレイ装置に
説明画面を表示させる説明画面表示手段と、前記一括表示の項目が選択されたときに、該
当する項目の説明画面のデータの全部を前記メモリから読み出して複数ページに渡ってデ
ィスプレイ装置に説明画面を一括表示させる一括表示手段と、前記説明画面または前記一
括表示説明画面が表示された後、前記ヘルプキーが押下されたときに、前記ヘルプ画面の
表示に戻すヘルプ画面戻し手段と、前記ヘルプ画面表示手段または前記ヘルプ画面戻し手
段により前記ヘルプ画面が表示されているときに、前記ヘルプキーが押下されると、前記
変数の値を参照し前記ヘルプキーの押下前の動作状態に戻す動作状態戻し手段とを、有す
るシステムコントローラを備えたことを特徴とする光ディスク再生装置を提供する。
【００１０】
この構成において、例えば、リモコンの再生キーが押下され、光ディスクの情報の再生
が開始され、再生中にリモコンのヘルプキーが押下されると、変数値設定手段は、ヘルプ
キーが押下されたときの装置の現在の動作状態を判別し、当該動作状態に対応する値を変
数に設定する。
【００１１】
次に、ヘルプ画面表示手段は、前記設定された変数の値に対応した有効なキーの項目お
よび一括表示の項目を列挙したヘルプ画面のデータをメモリから読み出してディスプレイ
装置にヘルプ画面を表示させる。そして、リモコンを操作して、有効なキーの項目が選択
されたときに、説明画面表示手段は、選択された項目の説明画面のデータをメモリから読
み出してディスプレイ装置に説明画面を表示させる。また、リモコンを操作して、一括表
示の項目が選択されたときは、一括表示手段は、該当する項目の説明画面のデータの全部
をメモリから読み出して複数ページに渡ってディスプレイ装置に説明画面を一括表示させ
る。
【００１２】
前記説明画面または前記一括表示説明画面が表示された後、ヘルプキーが押下されると
、ヘルプ画面戻し手段はヘルプ画面の表示に戻す。また、ヘルプ画面表示手段またはヘル
プ画面戻し手段により前記ヘルプ画面が表示されているときに、ヘルプキーが押下される
と、動作状態戻し手段は、変数の値を参照しヘルプキーの押下前の動作状態に戻す。
【００１３】
この構成によれば、ヘルプキーを押下することによってヘルプ画面が表示され、このヘ
ルプ画面を見れば、現在の動作状態で使用できる有効なキーを簡単に知ることができ、更
に、ヘルプ画面に表示されている有効なキーの項目を選択すれば、その有効なキーを操作
した場合の動作内容を示す説明画面が表示され、また、ヘルプ画面に表示されている一括
表示の項目を選択すれば、現在の動作状態で使用できる全ての有効なキーの説明が一括表
示されるので、ユーザにとっては使い勝手が良くなる。要するに、どんな動作状態であっ
ても、有効に作用するヘルプキーを押下することによって、その時の様々な有効キーの説
明がなされ、使い始めから不自由なく光ディスク再生装置を使用することができ、また、
取扱説明書を読むのが面倒なユーザでも光ディスク再生装置の機能を十分に生かして使用
することができるようになる。
【００１４】
請求項２の発明は、光ディスクに記録された情報を再生する光ディスク再生装置におい
て、ヘルプキーを設け、前記ヘルプキーが押下されたときに、装置の現在の動作状態を判
別し、有効なキーの項目および一括表示の項目を列挙したヘルプ画面をディスプレイ装置
に表示させ、前記有効なキーの項目が選択されたときに、選択された項目の説明画面を、
前記一括表示の項目が選択されたときには、全ての有効なキーの項目の一括表示説明画面
を、それぞれディスプレイ装置に表示させるシステムコントローラを備えたことを特徴と
する光ディスク再生装置を提供する。
【００１５】
この構成において、ヘルプキーが押下されると、装置の現在の動作状態が判別され、有
効なキーの項目および一括表示の項目を列挙したヘルプ画面がディスプレイ装置に表示さ
れ、前記有効なキーの項目が選択されたときに、選択された項目の説明画面がディスプレ
イ装置に表示され、前記一括表示の項目が選択されたときには、全ての有効なキーの項目
の一括表示説明画面がディスプレイ装置に表示される。
【００１６】
この構成によれば、ヘルプキーを押下することによってヘルプ画面が表示され、このヘ
ルプ画面を見れば、現在の動作状態で使用できる有効なキーを簡単に知ることができ、更
に、ヘルプ画面に表示されている有効なキーの項目を選択すれば、その有効なキーを操作
した場合の動作内容を示す説明画面が表示され、また、ヘルプ画面に表示されている一括
表示の項目を選択すれば、現在の動作状態で使用できる全ての有効なキーの説明が一括表
示されるので、ユーザにとっては使い勝手が良くなる。要するに、どんな動作状態であっ
ても、有効に作用するヘルプキーを押下することによって、その時の様々な有効キーの説
明がなされ、使い始めから不自由なく光ディスク再生装置を使用することができ、また、
取扱説明書を読むのが面倒なユーザでも光ディスク再生装置の機能を十分に生かして使用
することができるようになる。
【００１７】
請求項３の発明では、請求項２の発明において、前記システムコントローラは、ヘルプ
キーが押下されたときに、前記ヘルプキーが押下されたときの装置の現在の動作状態を判
別し、当該動作状態に対応する値を変数に設定する変数値設定手段と、前記設定された変
数の値に対応した有効なキーの項目および一括表示の項目を列挙したヘルプ画面のデータ
を前記メモリから読み出してディスプレイ装置にヘルプ画面を表示させるヘルプ画面表示
手段と、前記有効なキーの項目が選択されたときに、選択された項目の説明画面のデータ
を前記メモリから読み出してディスプレイ装置に説明画面を表示させる説明画面表示手段
と、前記一括表示の項目が選択されたときに、該当する項目の説明画面のデータの全部を
前記メモリから読み出して複数ページに渡ってディスプレイ装置に説明画面を一括表示さ
せる一括表示手段とを有する。
【００１８】
したがって、前記システムコントローラは、変数値設定処理、ヘルプ画面表示処理、説
明画面表示処理、および一括表示処理を実現でき、これにより、ヘルプキーが押下される
と、変数の値に応じた動作状態での有効なキーの項目および一括表示の項目が列挙された
ヘルプ画面をディスプレイ装置に表示でき、前記有効なキーの項目が選択されたときに、
選択された項目の説明画面をディスプレイ装置に表示でき、前記一括表示の項目が選択さ
れたときには、全ての有効なキーの項目の一括表示説明画面をディスプレイ装置に表示で
きる。
【００１９】
請求項４の発明では、請求項３の発明において、前記システムコントローラは、説明画
面または一括表示説明画面が表示された後、ヘルプキーが押下されたときに、ヘルプ画面
の表示に戻すヘルプ画面戻し手段と、ヘルプ画面表示手段またはヘルプ画面戻し手段によ
りヘルプ画面が表示されているときに、前記ヘルプキーが押下されると、変数の値を参照
し前記ヘルプキーの押下前の動作状態に戻す動作状態戻し手段とを有する。
【００２０】
この構成において、前記システムコントローラは、ヘルプ画面戻し処理および動作状態
戻し処理を実現でき、これにより、説明画面または一括表示説明画面が表示された後、ヘ
ルプキーが押下されると、ヘルプ画面の表示に戻すことができまた、ヘルプ画面が表示さ
れているときに、ヘルプキーが押下されると、ヘルプキーの押下前の動作状態に戻すこと
ができる。
【００２１】
請求項５の発明では、請求項３の発明において、ヘルプキーが押下されたときの装置の
現在の動作状態を示す変数の値と、当該変数の値に対応するヘルプ画面のデータと、当該
ヘルプ画面中の有効キーの項目に対応する説明画面のデータとを、テーブルとして予めメ
モリに記憶しておくようにしたので、現在の動作状態に応じたヘルプ画面と説明画面とを
表示させることが可能になる。
【発明の効果】
【００２２】
以上のように本発明によれば、光ディスクに記録された情報を再生する光ディスク再生
装置において、ヘルプキーを設け、このヘルプキーが押下されたときの装置の現在の動作
状態を示す変数の値と、当該変数の値に対応するヘルプ画面のデータと、当該ヘルプ画面
中の有効キーの項目に対応する説明画面のデータとを、テーブルとして予めメモリに記憶
しておき、前記ヘルプキーが押下されたときに、前記ヘルプキーが押下されたときの装置
の現在の動作状態を判別し、当該動作状態に対応する値を変数に設定する変数値設定手段
と、前記設定された変数の値に対応した有効なキーの項目および一括表示の項目を列挙し
たヘルプ画面のデータを前記メモリから読み出してディスプレイ装置にヘルプ画面を表示
させるヘルプ画面表示手段と、前記有効なキーの項目が選択されたときに、選択された項
目の説明画面のデータを前記メモリから読み出してディスプレイ装置に説明画面を表示さ
せる説明画面表示手段と、前記一括表示の項目が選択されたときに、該当する項目の説明
画面のデータの全部を前記メモリから読み出して複数ページに渡ってディスプレイ装置に
説明画面を一括表示させる一括表示手段と、前記説明画面または前記一括表示説明画面が
表示された後、前記ヘルプキーが押下されたときに、前記ヘルプ画面の表示に戻すヘルプ
画面戻し手段と、前記ヘルプ画面表示手段または前記ヘルプ画面戻し手段により前記ヘル
プ画面が表示されているときに、前記ヘルプキーが押下されると、前記変数の値を参照し
前記ヘルプキーの押下前の動作状態に戻す動作状態戻し手段とを有するシステムコントロ
ーラを備えたので、ヘルプキーを押下することによってヘルプ画面が表示され、このヘル
プ画面を見れば、現在の動作状態で使用できる有効なキーを簡単に知ることができ、更に
、ヘルプ画面に表示されている有効なキーの項目を選択すれば、その有効なキーを操作し
た場合の動作内容を示す説明画面が表示され、また、ヘルプ画面に表示されている一括表
示の項目を選択すれば、現在の動作状態で使用できる全ての有効なキーの説明が一括表示
され、ユーザにとっては使い勝手が良くなる。要するに、どんな動作状態であっても、有
効に作用するヘルプキーを押下することによって、その時の様々な有効キーの説明がなさ
れ、使い始めから不自由なく光ディスク再生装置を使用することができ、また、取扱説明
書を読むのが面倒なユーザでも光ディスク再生装置の機能を十分に生かして使用すること
ができるようになる。
【００２３】
また、本発明によれば、光ディスクに記録された情報を再生する光ディスク再生装置に
おいて、ヘルプキーを設け、前記ヘルプキーが押下されたときに、装置の現在の動作状態
を判別し、有効なキーの項目および一括表示の項目を列挙したヘルプ画面をディスプレイ
装置に表示させ、前記有効なキーの項目が選択されたときに、選択された項目の説明画面
を、前記一括表示の項目が選択されたときには、全ての有効なキーの項目の一括表示説明
画面を、それぞれディスプレイ装置に表示させるシステムコントローラを備えたので、ヘ
ルプキーを押下することによってヘルプ画面が表示され、このヘルプ画面を見れば、現在
の動作状態で使用できる有効なキーを簡単に知ることができ、更に、ヘルプ画面に表示さ
れている有効なキーの項目を選択すれば、その有効なキーを操作した場合の動作内容を示
す説明画面が表示され、また、ヘルプ画面に表示されている一括表示の項目を選択すれば
、現在の動作状態で使用できる全ての有効なキーの説明が一括表示され、ユーザにとって
は使い勝手が良くなる。要するに、どんな動作状態であっても、有効に作用するヘルプキ
ーを押下することによって、その時の様々な有効キーの説明がなされ、使い始めから不自
由なく光ディスク再生装置を使用することができ、また、取扱説明書を読むのが面倒なユ
ーザでも光ディスク再生装置の機能を十分に生かして使用することができるようになる。
【発明を実施するための最良の形態】
【００２４】
以下、添付図面を参照しつつ、本発明の実施の形態について説明する。図１は本発明の
一実施形態に係る光ディスク再生装置の構成を示すブロック図である。
【００２５】
この光ディスク再生装置は、装置全体を制御するシステムコントローラ２２と、光ディ
スク１を回転させるスピンドルモータ５と、光ディスク１に対して情報の記録／再生を行
うためのレーザ光を出射すると共に光ディスク１からの反射光を受光する光ピックアップ
２と、この光ピックアップ２を光ディスク１の半径方向に移動させるためのスレッド３と
、システムコントローラ２２の指示に応じてスピンドルモータ５およびスレッド３を駆動
すると共に光ピックアップ２に内蔵された対物レンズ（図示せず）を動かすことによりレ
ーザ光の焦点位置を光ディスク１の記録面に対して垂直方向および水平方向に移動させる
制御を行うサーボ制御部４とを備えている。
【００２６】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理とＥＣＣエラー訂正処理を行って生成したデータをＲＡＭ７に格納するデジタル信
号処理部８と、システムコントローラ２２の指示に応じてデジタル信号処理部８から出力
されたデータストリームの中からオーディオデータとサブピクチャデータとビデオデータ
とを分離するストリーム分離部９とを備えている。
【００２７】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２８】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２９】
また、この光ディスク再生装置は、システムコントローラ２２に対して赤外線信号によ
り、再生指示を与えるための再生キー（図示せず）、再生停止を指示するための停止キー
（図示せず）、チャプターのサーチを指示するためのサーチキー（図示せず）、電源キー
（図示せず）などの各種操作キーの他、新たに設けられたヘルプキー２１ａを有するリモ
コン２１を備えている。なお、ヘルプキー２１ａは、リモコン２１以外に図示しない本体
操作部にも設けても良い。
【００３０】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４と、このＣＰＵ２４の処理に必要なデータを一時的に格納するＲＡＭ
２５とを備えている。また、フラッシュＲＯＭ２３には、ヘルプキー２１ａが押下された
ときの装置の現在の動作状態を示す変数の値と、当該変数の値に対応するヘルプ画面のデ
ータと、当該ヘルプ画面中の有効キーの項目に対応する説明画面のデータとが、テーブル
として予め記憶されている。
【００３１】
システムコントローラ２２は、本実施形態の特徴とする構成要素として、例えばヘルプ
キー２１ａが押下されたときに、ヘルプキー２１ａが押下されたときの装置の現在の動作
状態を判別し、当該動作状態に対応する値を変数に設定する変数値設定手段２２１と、前
記設定された変数の値に対応した有効なキーの項目および一括表示の項目を列挙したヘル
プ画面のデータをフラッシュＲＯＭ２３から読み出してディスプレイ装置２０にヘルプ画
面を表示させるヘルプ画面表示手段２２２と、前記有効なキーの項目が選択されたときに
、選択された項目の説明画面のデータをフラッシュＲＯＭ２３から読み出してディスプレ
イ装置２０に説明画面を表示させる説明画面表示手段２２３と、前記一括表示の項目が選
択されたときに、該当する項目の説明画面のデータの全部をフラッシュＲＯＭ２３から読
み出して複数ページに渡ってディスプレイ装置２０に説明画面を一括表示させる一括表示
手段２２４と、前記説明画面または前記一括表示説明画面が表示された後、ヘルプキー２
１ａが押下されたときに、前記ヘルプ画面の表示に戻すヘルプ画面戻し手段２２５と、ヘ
ルプ画面表示手段２２２またはヘルプ画面戻し手段２２５により前記ヘルプ画面が表示さ
れているときに、ヘルプキー２１ａが押下されると、前記変数の値を参照しヘルプキー２
１ａの押下前の動作状態に戻す動作状態戻し手段２２６とを有する。
【００３２】
図２は本実施形態においてヘルプキーが押下されたときに表示されるヘルプ画面の一例
を示す図である。図２において、ディスプレイ装置の画面２０１には、ヘルプ画面２０２
が表示されている。このヘルプ画面２０２には、現在の動作状態で使用できる有効なキー
である選択可能なボタン（キー）として、装置の電源、表示（光ディスクの状態表示）、
サーチ、トレイの開／閉、早送り、早戻し、モード、・・・、一括表示などが表示されて
いる。このヘルプ画面２０２については、例えばＤＶＤ−ＶＩＤＥＯの光ディスクを再生
中にヘルプキー２１ａを押下した場合、このＤＶＤ−ＶＩＤＥＯの光ディスクはレジュー
ムオン状態に遷移して表示されたものである。
【００３３】
なお、ヘルプ画面２０２において、項目が表示される順番は、リモコン２１のキーの左
上、右上、左中、・・・というように、キー配置にそれぞれ対応させることによって、リ
モコン２１のキーが探し易くなる。また、１ページで表示しきれない場合は、画面２０１
の右上に現在のページ数／総ページ数を表示し、上下に▽、△を表示することで、ページ
切り替えができることを示す。
【００３４】
図３は本実施形態においてヘルプ画面が表示された後にヘルプ画面中の項目を選択した
場合に表示される説明画面の一例を示す図である。図３において、ディスプレイ装置の画
面２０１には、説明画面２０３が表示されている。この説明画面２０３には、図２のヘル
プ画面２０２中のサーチが選択された場合でサーチボタン（サーチキー）の操作説明文が
表示されている。また、説明画面２０３の表示領域２０４には、チャプターサーチ時のＯ
ＳＤ画面が表示されている。
【００３５】
図４は本実施形態においてヘルプキーが押下されてからヘルプ画面および説明画面が表
示されるまでの処理を説明するためのフローチャートである。このフローチャートおよび
図１〜図３を参照してヘルプキーが押下されてからヘルプ画面および説明画面が表示され
るまでの処理について説明する。
【００３６】
この光ディスク再生装置にＤＶＤ−ＶＩＤＥＯの光ディスク１が挿入され、例えば、リ
モコン２１の再生キーが押下され、光ディスク１の情報の再生が開始され、再生中にリモ
コン２１のヘルプキー２１ａが押下されると（ステップＳ１）、装置はポーズ状態になり
、システムコントローラ２２の変数値設定手段２２１は、ヘルプキー２１ａが押下された
ときの装置の現在の動作状態を判別し、当該動作状態に対応する値を変数ｎに設定する（
ステップＳ２）。この例の場合、変数ｎが値１に設定されたので、ＤＶＤ−ＶＩＤＥＯの
光ディスク１が再生中であることが分かる（ステップＳ３）。そして、リジュームオン状
態に遷移する（ステップＳ４）。
【００３７】
次に、ヘルプ画面表示手段２２２は、前記設定された変数ｎの値に対応した有効なキー
の項目および一括表示の項目を列挙したヘルプ画面のデータをフラッシュＲＯＭ２３から
読み出してディスプレイ装置２０にヘルプ画面（例えば図２のヘルプ画面２０２）を表示
させる（ステップＳ５）。例えば図２のヘルプ画面２０２には、電源、表示、サーチ、開
閉、早送り、早戻し、モード、・・・、一括表示などが表示される。
【００３８】
そして、リモコン２１の矢印キー（カーソルキー）とエンターキーを操作して、有効な
キーの項目が選択されたときに（ステップＳ６）、説明画面表示手段２２３は、選択され
た項目の説明画面のデータをフラッシュＲＯＭ２３から読み出してディスプレイ装置２０
に説明画面（例えば図３の説明画面）を表示させる（ステップＳ７）。
【００３９】
また、リモコン２１の矢印キーを操作して、一括表示の項目が選択されたときは（ステ
ップＳ８）、一括表示手段２２４は、該当する項目の説明画面のデータの全部をフラッシ
ュＲＯＭ２３から読み出して複数ページに渡ってディスプレイ装置２０に説明画面を一括
表示させる（ステップＳ９）。リモコン２１の下方向の矢印キーを操作すれば、説明画面
（例えば図３の説明画面２０３）が複数ページに渡って表示できる。即ち、説明画面が一
括表示されることになる。
【００４０】
前記説明画面または前記一括表示説明画面が表示された後、ヘルプキー２１ａが押下さ
れると（ステップＳ１０）、ヘルプ画面戻し手段２２５はヘルプ画面の表示に戻す（ステ
ップＳ５）。また、ヘルプ画面表示手段２２２またはヘルプ画面戻し手段２２５により前
記ヘルプ画面が表示されているときに、ヘルプキー２１ａが押下されると（ステップＳ１
１）、動作状態戻し手段２２６は、変数ｎの値を参照し、ヘルプキー２１ａの押下前の動
作状態に戻す（ステップＳ１２）。例えば、変数ｎの値が１ならば、ヘルプキー２１ａが
押下される前は、ＤＶＤ−ＶＩＤＥＯの光ディスク１が再生中であったことを示すので、
リジューム停止した続きから再生が開始することになる。
【００４１】
以上説明したように本実施形態によれば、ヘルプキーを押下することによってヘルプ画
面が表示され、このヘルプ画面を見れば、現在の動作状態で使用できる有効なキーを簡単
に知ることができ、更に、ヘルプ画面に表示されている有効なキーの項目を選択すれば、
その有効なキーを操作した場合の動作内容を示す説明画面が表示され、また、ヘルプ画面
に表示されている一括表示の項目を選択すれば、現在の動作状態で使用できる全ての有効
なキーの説明が一括表示され、これにより、ユーザにとっては使い勝手が良くなる。要す
るに、どんな動作状態であっても、有効に作用するヘルプキーを押下することによって、
その時の様々な有効キーの説明がなされ、使い始めから不自由なく光ディスク再生装置を
使用することができ、また、取扱説明書を読むのが面倒なユーザでも光ディスク再生装置
の機能を十分に生かして使用することができるようになる。
【図面の簡単な説明】
【００４２】
【図１】本発明の一実施形態に係る光ディスク再生装置の構成を示すブロック図である。
【図２】前記実施形態においてヘルプキーが押下されたときに表示されるヘルプ画面の一例を示す図である。
【図３】前記実施形態においてヘルプ画面が表示された後にヘルプ画面中の項目を選択した場合に表示される説明画面の一例を示す図である。
【図４】前記実施形態においてヘルプキーが押下されてからヘルプ画面および説明画面が表示されるまでの処理を説明するためのフローチャートである。
【符号の説明】
【００４３】
１    光ディスク
２０    ディスプレイ装置
２１ａ    ヘルプキー
２２    システムコントローラ
２３    フラッシュＲＯＭ（メモリ）
２０２    ヘルプ画面
２０３    説明画面
２２１    変数値設定手段
２２２    ヘルプ画面表示手段
２２３    説明画面表示手段
２２４    一括表示手段
２２５    ヘルプ画面戻し手段
２２６    動作状態戻し手段
【図１】
2007058912.tif 000003
【図２】
2007058912.tif 000004
【図３】
2007058912.tif 000005
【図４】
2007058912.tif 000006